(57)【要約】【課題】字幕と映像とのズレを容易に修正できる放送受信装置及び当該放送受信装置を備える字幕放送表示システムを提供する。【解決手段】放送受信装置３０に、字幕の開始を示す字幕開始情報及び字幕の終了を示す字幕終了情報を有する字幕情報と、映像情報と、を含むＴＶ放送信号を受信するチューナ３１と、当該受信されたＴＶ放送信号に含まれる字幕情報の中から、字幕開始情報と、字幕終了情報と、を検出する検出プログラム３７３ａを実行したＣＰＵ３７１と、当該受信されたＴＶ放送信号に含まれる字幕情報と映像情報を映像出力部３６ａに出力させる出力制御プログラム３７３ｂを実行したＣＰＵ３７１と、を備え、出力制御プログラム３７３ｂを実行したＣＰＵ３７１を、字幕開始情報が検出されてから字幕終了情報が検出されるまでの間、所定の条件が成立した場合に、字幕情報に対して映像情報を遅延させて出力させるよう構成した。【選択図】図３
2008199444.tif 000002
【特許請求の範囲】
【請求項１】
テレビジョン放送信号を送信する放送送信装置と、当該放送送信装置により送信されたテレビジョン放送信号を受信する放送受信装置と、を備える字幕放送表示システムにおいて、
前記放送送信装置は、
字幕の開始を示す字幕開始情報及び字幕の終了を示す字幕終了情報を有する字幕情報と、映像情報と、を含むテレビジョン放送信号を送信する送信手段を備え、
前記放送受信装置は、
前記送信手段により送信されたテレビジョン放送信号を受信する受信手段と、
前記受信手段により受信されたテレビジョン放送信号に含まれる字幕情報の中から、前記字幕開始情報と、前記字幕終了情報と、を検出する検出手段と、
前記受信手段により受信されたテレビジョン放送信号に含まれる字幕情報と映像情報を映像出力手段に出力させる出力制御手段と、を備え、
前記出力制御手段は、
前記検出手段により字幕開始情報が検出されてから字幕終了情報が検出されるまでの間、前記映像出力手段の表示画面を字幕表示画面と映像表示画面とに分割して、前記字幕情報を当該字幕表示画面から出力させて、前記映像情報を当該映像表示画面から出力させ、
前記検出手段により字幕開始情報が検出されてから字幕終了情報が検出されるまでの間、一画面に表示される前記字幕情報に基づく文字の数が所定の閾値を超えた場合、或いは、一画面に表示される前記字幕情報に基づく文字のうちの最後の文字がセンテンスの終わりを示す所定の文字以外の文字である場合に、前記字幕情報に対して前記映像情報を遅延させて出力させ、
前記検出手段により字幕開始情報が検出されてから字幕終了情報が検出されるまでの間に生じた前記映像情報の遅延時間を算出し、所定のタイミングで、当該遅延時間分先の前記映像情報を出力させることを特徴とする字幕放送表示システム。
【請求項２】
字幕の開始を示す字幕開始情報及び字幕の終了を示す字幕終了情報を有する字幕情報と、映像情報と、を含むテレビジョン放送信号を受信する受信手段と、
前記受信手段により受信されたテレビジョン放送信号に含まれる字幕情報の中から、前記字幕開始情報と、前記字幕終了情報と、を検出する検出手段と、
前記受信手段により受信されたテレビジョン放送信号に含まれる字幕情報と映像情報を映像出力手段に出力させる出力制御手段と、
を備え、
前記出力制御手段は、前記検出手段により字幕開始情報が検出されてから字幕終了情報が検出されるまでの間、所定の条件が成立した場合に、前記字幕情報に対して前記映像情報を遅延させて出力させることを特徴とする放送受信装置。
【請求項３】
請求項２に記載の放送受信装置において、
前記出力制御手段は、前記検出手段により字幕開始情報が検出されてから字幕終了情報が検出されるまでの間、前記映像出力手段の表示画面を字幕表示画面と映像表示画面とに分割して、前記字幕情報を当該字幕表示画面から出力させて、前記映像情報を当該映像表示画面から出力させることを特徴とする放送受信装置。
【請求項４】
請求項２又は３に記載の放送受信装置において、
前記所定の条件が成立した場合とは、一画面に表示される前記字幕情報に基づく文字の数が所定の閾値を超えた場合であることを特徴とする放送受信装置。
【請求項５】
請求項２又は３に記載の放送受信装置において、
前記所定の条件が成立した場合とは、一画面に表示される前記字幕情報に基づく文字のうちの最後の文字がセンテンスの終わりを示す所定の文字以外の文字である場合であることを特徴とする放送受信装置。
【請求項６】
請求項２〜５の何れか一項に記載の放送受信装置において、
前記出力制御手段は、前記検出手段により字幕開始情報が検出されてから字幕終了情報が検出されるまでの間に生じた前記映像情報の遅延時間を算出し、所定のタイミングで、当該遅延時間分先の前記映像情報を出力させることを特徴とする放送受信装置。
【発明の詳細な説明】
【技術分野】
【０００１】
本発明は、字幕放送表示システム及び放送受信装置に関する。
【背景技術】
【０００２】
従来、テレビ番組では、映像とともに字幕を表示させる字幕放送を実施している番組があり、例えば、受信側の好みに応じて字幕提示形式を選択的に変更可能な字幕番組受信システム（例えば、特許文献１参照）などが提案されている。
【０００３】
ところで、字幕放送がニュース番組などの生放送の番組で実施されている場合、すなわち、字幕放送がいわゆるリアルタイム字幕放送である場合、出演者が話をした後に字幕を作成することから、映像に対して字幕の表示が遅れてしまい、そのため、話題が切り替わっても、前の話題の字幕が表示されている場合がある。
そこで、例えば、放送局等から送信される字幕付き映像信号に含まれる遅延制御情報に基づいて字幕遅延時間を算出し、そして、当該算出された字幕遅延時間に基づいて映像と字幕とが同期した字幕同期映像信号を生成する字幕付き映像信号の遅延制御装置（例えば、特許文献２参照）や、放送局等から送信された放送信号に含まれる遅延時間情報に基づいて映像音声信号に基づく映像音声と字幕信号に基づく字幕との出力時間差を調整して、字幕を映像音声に重畳させて出力する字幕放送受信装置（例えば、特許文献３参照）などが提案された。
【特許文献１】特開２０００−３５０１１７号公報
【特許文献２】特開２００６−２１１６３６号公報
【特許文献３】特開２００４−２０７８２１号公報
【発明の開示】
【発明が解決しようとする課題】
【０００４】
しかしながら、特許文献２や３に開示された技術は、遅延制御情報や遅延時間情報といった高度な情報に基づいて、表示される字幕と映像とのズレを修正する技術であるため、この高度な情報を作成する放送局側にとって煩わしいという問題がある。
また、特許文献１に開示された技術は、字幕提示形式を選択的に変更するための技術であるため、リアルタイム字幕放送において生じる、表示される字幕と映像とのズレは解消できない。
【０００５】
本発明の課題は、字幕と映像とのズレを容易に修正できる字幕放送表示システム及び放送受信装置を提供することにある。
【課題を解決するための手段】
【０００６】
上記課題を解決するために、請求項１に記載の発明は、
テレビジョン放送信号を送信する放送送信装置と、当該放送送信装置により送信されたテレビジョン放送信号を受信する放送受信装置と、を備える字幕放送表示システムにおいて、
前記放送送信装置は、
字幕の開始を示す字幕開始情報及び字幕の終了を示す字幕終了情報を有する字幕情報と、映像情報と、を含むテレビジョン放送信号を送信する送信手段を備え、
前記放送受信装置は、
前記送信手段により送信されたテレビジョン放送信号を受信する受信手段と、
前記受信手段により受信されたテレビジョン放送信号に含まれる字幕情報の中から、前記字幕開始情報と、前記字幕終了情報と、を検出する検出手段と、
前記受信手段により受信されたテレビジョン放送信号に含まれる字幕情報と映像情報を映像出力手段に出力させる出力制御手段と、を備え、
前記出力制御手段は、
前記検出手段により字幕開始情報が検出されてから字幕終了情報が検出されるまでの間、前記映像出力手段の表示画面を字幕表示画面と映像表示画面とに分割して、前記字幕情報を当該字幕表示画面から出力させて、前記映像情報を当該映像表示画面から出力させ、
前記検出手段により字幕開始情報が検出されてから字幕終了情報が検出されるまでの間、一画面に表示される前記字幕情報に基づく文字の数が所定の閾値を超えた場合、或いは、一画面に表示される前記字幕情報に基づく文字のうちの最後の文字がセンテンスの終わりを示す所定の文字以外の文字である場合に、前記字幕情報に対して前記映像情報を遅延させて出力させ、
前記検出手段により字幕開始情報が検出されてから字幕終了情報が検出されるまでの間に生じた前記映像情報の遅延時間を算出し、所定のタイミングで、当該遅延時間分先の前記映像情報を出力させることを特徴とする。
【０００７】
請求項２に記載の発明は、
字幕の開始を示す字幕開始情報及び字幕の終了を示す字幕終了情報を有する字幕情報と、映像情報と、を含むテレビジョン放送信号を受信する受信手段と、
前記受信手段により受信されたテレビジョン放送信号に含まれる字幕情報の中から、前記字幕開始情報と、前記字幕終了情報と、を検出する検出手段と、
前記受信手段により受信されたテレビジョン放送信号に含まれる字幕情報と映像情報を映像出力手段に出力させる出力制御手段と、
を備え、
前記出力制御手段は、前記検出手段により字幕開始情報が検出されてから字幕終了情報が検出されるまでの間、所定の条件が成立した場合に、前記字幕情報に対して前記映像情報を遅延させて出力させることを特徴とする。
【０００８】
請求項３に記載の発明は、
請求項２に記載の放送受信装置において、
前記出力制御手段は、前記検出手段により字幕開始情報が検出されてから字幕終了情報が検出されるまでの間、前記映像出力手段の表示画面を字幕表示画面と映像表示画面とに分割して、前記字幕情報を当該字幕表示画面から出力させて、前記映像情報を当該映像表示画面から出力させることを特徴とする。
【０００９】
請求項４に記載の発明は、
請求項２又は３に記載の放送受信装置において、
前記所定の条件が成立した場合とは、一画面に表示される前記字幕情報に基づく文字の数が所定の閾値を超えた場合であることを特徴とする。
【００１０】
請求項５に記載の発明は、
請求項２又は３に記載の放送受信装置において、
前記所定の条件が成立した場合とは、一画面に表示される前記字幕情報に基づく文字のうちの最後の文字がセンテンスの終わりを示す所定の文字以外の文字である場合であることを特徴とする。
【００１１】
請求項６に記載の発明は、
請求項２〜５の何れか一項に記載の放送受信装置において、
前記出力制御手段は、前記検出手段により字幕開始情報が検出されてから字幕終了情報が検出されるまでの間に生じた前記映像情報の遅延時間を算出し、所定のタイミングで、当該遅延時間分先の前記映像情報を出力させることを特徴とする。
【発明の効果】
【００１２】
請求項１に記載の発明によれば、検出手段により字幕開始情報が検出されてから字幕終了情報が検出されるまでの間、一画面に表示される字幕情報に基づく文字の数が所定の閾値を超えた場合に、すなわち一画面に表示される字幕が長い場合に、或いは、一画面に表示される字幕情報に基づく文字のうちの最後の文字がセンテンスの終わりを示す所定の文字以外の文字である場合に、すなわち字幕を構成するセンテンスが長い場合に、字幕情報に対して映像情報を遅延させて出力させることができる。
したがって、字幕と映像とのズレを容易に修正できる。
【００１３】
また、出力制御手段によって、検出手段により字幕開始情報が検出されてから字幕終了情報が検出されるまでの間、映像出力手段の表示画面を字幕表示画面と映像表示画面とに分割して、字幕情報を当該字幕表示画面から出力させて、映像情報を当該映像表示画面から出力させることができる。
したがって、字幕情報を映像情報に合成や重畳してから出力させる等の煩わしい処理を行うことなく、簡易に字幕情報を表示させることができる。
【００１４】
また、出力制御手段によって、検出手段により字幕開始情報が検出されてから字幕終了情報が検出されるまでの間に生じた映像情報の遅延時間を算出し、所定のタイミングで、当該遅延時間分先の映像情報を出力させることができる。
したがって、所定のタイミングで略リアルタイムの映像情報を出力させることによって、字幕開始情報が検出されてから字幕終了情報が検出されるまでの間に生じた映像情報の遅延を解消することができるため、使い勝手がよい。
【００１５】
請求項２に記載の発明によれば、検出手段により字幕開始情報が検出されてから字幕終了情報が検出されるまでの間、所定の条件が成立した場合に、字幕情報に対して映像情報を遅延させて出力させることができる。
したがって、字幕と映像とのズレを容易に修正できる。
【００１６】
請求項３に記載の発明によれば、請求項２に記載の発明と同様の効果が得られることは無論のこと、出力制御手段によって、検出手段により字幕開始情報が検出されてから字幕終了情報が検出されるまでの間、映像出力手段の表示画面を字幕表示画面と映像表示画面とに分割して、字幕情報を当該字幕表示画面から出力させて、映像情報を当該映像表示画面から出力させることができる。
したがって、字幕情報を映像情報に合成や重畳してから出力させる等の煩わしい処理を行うことなく、簡易に字幕情報を表示させることができる。
【００１７】
請求項４に記載の発明によれば、請求項２又は３に記載の発明と同様の効果が得られることは無論のこと、出力制御手段は、一画面に表示される字幕情報に基づく文字の数が所定の閾値を超えた場合に、すなわち一画面に表示される字幕が長い場合に、映像情報を遅延させて出力させるため、より確実に字幕と映像とのズレを修正できる。
【００１８】
請求項５に記載の発明によれば、請求項２又は３に記載の発明と同様の効果が得られることは無論のこと、出力制御手段は、一画面に表示される字幕情報に基づく文字のうちの最後の文字がセンテンスの終わりを示す所定の文字以外の文字である場合に、すなわち字幕を構成するセンテンスが長い場合に、映像情報を遅延させて出力させるため、より確実に字幕と映像とのズレを修正できる。
【００１９】
請求項６に記載の発明によれば、請求項２〜５に何れか一項に記載の発明と同様の効果が得られることは無論のこと、出力制御手段によって、検出手段により字幕開始情報が検出されてから字幕終了情報が検出されるまでの間に生じた映像情報の遅延時間を算出し、所定のタイミングで、当該遅延時間分先の映像情報を出力させることができる。
すなわち、所定のタイミングで略リアルタイムの映像情報を出力させることによって、字幕開始情報が検出されてから字幕終了情報が検出されるまでの間に生じた映像情報の遅延を解消することができるため、使い勝手がよい。
【発明を実施するための最良の形態】
【００２０】
以下、図を参照して、本発明にかかる字幕放送表示システム及び放送受信装置の最良の形態を詳細に説明する。なお、発明の範囲は、図示例に限定されない。
【００２１】
＜字幕放送表示システムの構成＞
まず、字幕放送表示システム１の構成について、図１〜図５を参照して説明する。
字幕放送表示システム１は、例えば、図１に示すように、テレビジョン放送信号（以下、「ＴＶ放送信号」という。）を送信する放送送信装置１０と、放送送信装置１０により送信されたＴＶ放送信号を受信する放送受信装置３０と、を備えて構成される。
【００２２】
（放送送信装置）
放送送信装置１０は、例えば、放送局等に設置されており、例えば、図２に示すように、字幕生成部１１と、アンテナ１２ａを有する送信部１２と、制御部１３と、などを備えて構成される。
【００２３】
字幕生成部１１は、制御部１３から入力される制御信号に従って、例えば、音声認識処理などの所定の処理を行って字幕情報を生成し、当該生成された字幕情報に字幕開始情報と字幕終了情報を挿入して送信部１２に出力する。
【００２４】
ここで、字幕開始情報と字幕終了情報は、例えば、字幕情報にテキストとして挿入される情報であり、例えば、一の話題に関する字幕の最初の文字の前に字幕開始情報に基づく文字が挿入されるとともに、当該一の話題に関する字幕の最後の文字の後に字幕終了情報に基づく文字が挿入されるようになっている。
字幕開始情報に基づく文字や字幕終了情報に基づく文字は、実際に字幕として表示される必要はなく、実際に字幕として表示される文字と識別可能である必要があるため、字幕に使用しない文字である必要がある。
一の話題は、例えば、字幕生成部１１が映像等の切り替わりに基づいて話題の切り替わりを判断することによって、判定される。
【００２５】
なお、字幕生成部１１は、映像等の切り替わりに基づいて話題の切り替わりを判断して字幕情報に字幕開始情報や字幕終了情報を挿入する限りではなく、字幕情報への字幕開始情報や字幕終了情報の挿入タイミングは放送局等側で任意に設定可能であり、例えば、一定期間毎に挿入してもよい。
また、字幕生成部１１は、例えば、音声認識処理などの所定の処理を行って字幕情報を生成する限りではなく、オペレータ入力によって字幕情報を生成してもよい。
また、字幕開始情報や字幕終了情報は、例えば、オペレータ入力によって字幕情報に挿入されてもよい。
【００２６】
送信部１２は、制御部１３から入力される制御信号に従って、例えば、送信手段として、映像情報と、音声情報と、字幕生成部１１から入力された字幕の開始を示す字幕開始情報及び字幕の終了を示す字幕終了情報を有する字幕情報と、を含むＴＶ放送信号を送信する。
【００２７】
制御部１３は、例えば、図２に示すように、ＣＰＵ（Central Processing Unit）１３１と、ＲＡＭ（Random Access Memory）１３２と、ＲＯＭ（Read Only Memory）１３３と、などを備えて構成される。
【００２８】
ＣＰＵ１３１は、例えば、ＲＯＭ１３３に記憶された放送送信装置１０用の各種処理プログラムに従って各種の制御動作を行う。
【００２９】
ＲＡＭ１３２は、例えば、ＣＰＵ１３１によって実行される処理プログラムなどを展開するためのプログラム格納領域や、入力データや上記処理プログラムが実行される際に生じる処理結果などを格納するデータ格納領域などを備える。
【００３０】
ＲＯＭ１３３は、例えば、放送送信装置１０で実行可能なシステムプログラム、当該システムプログラムで実行可能な各種処理プログラム、これら各種処理プログラムを実行する際に使用されるデータ、ＣＰＵ１３１によって演算処理された処理結果のデータなどを記憶する。なお、プログラムは、コンピュータが読み取り可能なプログラムコードの形でＲＯＭ１３３に記憶されている。
具体的には、ＲＯＭ１３３は、例えば、図２に示すように、字幕生成制御プログラム１３３ａと、送信制御プログラム１３３ｂと、などを記憶している。
【００３１】
字幕生成制御プログラム１３３ａは、例えば、字幕生成部１１に、字幕情報を生成させて当該生成された字幕情報に字幕開始情報や字幕終了情報を挿入させる機能を、ＣＰＵ１３１に実現させる。
【００３２】
送信制御プログラム１３３ｂは、例えば、送信部１２に、字幕情報と、映像情報と、音声情報と、を含むＴＶ放送信号を送信させる機能を、ＣＰＵ１３１に実現させる。
【００３３】
＜放送受信装置＞
放送受信装置３０は、例えば、家庭や施設などに設置されたり、携帯端末に搭載されており、例えば、図３に示すように、アンテナ３１ａを有するチューナ３１と、復調部３２と、分離部３３と、デコーダ３４と、バッファ３５と、出力部３６と、制御部３７と、などを備えて構成される。
【００３４】
チューナ３１は、制御部３７から入力される制御信号に従って、例えば、受信手段として、放送送信装置１０の送信部１２により送信された、字幕開始情報及び字幕終了情報を有する字幕情報と、映像情報と、音声情報と、を含むＴＶ放送信号を受信する。
具体的には、チューナ３１は、例えば、アンテナ３１ａにより受信されたデジタル方式のテレビジョン放送波の中から、ユーザ所望の番組の物理チャンネルに対応する周波数帯域に存在するＴＶ放送信号を受信して、当該受信されたＴＶ放送信号を変調して復調部３２に出力する。
【００３５】
復調部３２は、制御部３７から入力される制御信号に従って、例えば、チューナ３１から入力されたＴＶ放送信号に対して誤り訂正処理や復調処理などの所定の処理を施してトランスポートストリームを生成し、そして、当該生成されたトランスポートストリームを分離部３３に出力する。
【００３６】
分離部３３は、制御部３７から入力される制御信号に従って、例えば、復調部３２から入力されるトランスポートストリームを、字幕情報と、映像情報と、音声情報と、などに分離してデコーダ３４に出力する。
【００３７】
デコーダ３４は、制御部３７から入力される制御信号に従って、例えば、分離部３３から入力される字幕情報と、映像情報と、音声情報と、などに復号処理などの所定の処理を施してバッファ３５に出力する。
【００３８】
バッファ３５は、制御部３７から入力される制御信号に従って、例えば、デコーダ３４から入力される字幕情報と、映像情報と、音声情報と、などを逐次記憶するとともに、当該記憶された字幕情報と、映像情報と、音声情報と、を出力部３６に出力する。
【００３９】
出力部３６は、例えば、図３に示すように、映像出力手段としての映像出力部３６ａと、音声出力部３６ｂと、などを備えて構成される。
【００４０】
映像表示部３６ａは、例えば、液晶表示機器等であり、例えば、バッファ３５から出力される字幕情報に基づく字幕や、バッファ３５から出力される映像情報に基づく映像などを出力する。
【００４１】
音声出力部３６ｂは、例えば、スピーカ機器等であり、例えば、バッファ３５から入力される音声情報に基づく音声などを出力する。
【００４２】
制御部３７は、例えば、図３に示すように、ＣＰＵ３７１と、ＲＡＭ３７２と、ＲＯＭ３７３と、などを備えて構成される。
【００４３】
ＣＰＵ３７１は、例えば、ＲＯＭ３７３に記憶された放送受信装置３０用の各種処理プログラムに従って各種の制御動作を行う。
【００４４】
ＲＡＭ３７２は、例えば、ＣＰＵ３７１によって実行される処理プログラムなどを展開するためのプログラム格納領域や、入力データや上記処理プログラムが実行される際に生じる処理結果などを格納するデータ格納領域などを備える。
【００４５】
ＲＯＭ３７３は、例えば、放送受信装置３０で実行可能なシステムプログラム、当該システムプログラムで実行可能な各種処理プログラム、これら各種処理プログラムを実行する際に使用されるデータ、ＣＰＵ３７１によって演算処理された処理結果のデータなどを記憶する。なお、プログラムは、コンピュータが読み取り可能なプログラムコードの形でＲＯＭ３７３に記憶されている。
具体的には、ＲＯＭ３７３は、例えば、図３に示すように、検出プログラム３７３ａと、出力制御プログラム３７３ｂと、などを記憶している。
【００４６】
検出プログラム３７３ａは、例えば、チューナ３１により受信されたＴＶ放送信号に含まれる字幕情報の中から、字幕開始情報と、字幕終了情報と、を検出する機能を、ＣＰＵ３７１に実現させる。
具体的には、ＣＰＵ３７１は、例えば、デコーダ３４により復号処理などの所定の処理が施された字幕情報の中から、字幕開始情報や字幕終了情報を検出する。
ＣＰＵ３７１は、かかる検出プログラム３７３ａを実行することによって、検出手段として機能する。
【００４７】
出力制御プログラム３７３ｂは、例えば、チューナ３１により受信されたＴＶ放送信号に含まれる字幕情報と映像情報を、復調部３２と分離部３３とデコーダ３４とバッファ３５となどを介して映像出力部３６ａに出力させるとともに、当該ＴＶ放送信号に含まれる音声情報を復調部３２と分離部３３とデコーダ３４とバッファ３５となどを介して音声出力部３６ｂに出力させる機能を、ＣＰＵ３７１に実現させる。
【００４８】
具体的には、ＣＰＵ３７１は、例えば、検出プログラム３７３ａを実行したＣＰＵ３７１により字幕開始情報が検出されてから字幕終了情報が検出されるまでの間、タイムシフトモードをＯＮにする。
【００４９】
そして、タイムシフトモードがＯＦＦの間は、ＣＰＵ３７１は、例えば、バッファ３５に記憶された映像情報と音声情報を“標準再生速度”で再生して映像出力部３６ａと音声出力部３６ｂに出力させる。
ここで、“標準再生速度”とは、例えば、バッファ３５に記憶された情報を当該“標準再生速度”で再生して出力させることによって、放送送信装置１０の送信部１２から送信されるＴＶ放送信号に含まれる映像情報と音声情報（すなわち、放送局等からの放送）を略リアルタイムに出力させることができる速度である。
【００５０】
一方、タイムシフトモードがＯＮの間、すなわち、検出プログラム３７３ａを実行したＣＰＵ３７１により字幕開始情報が検出されてから字幕終了情報が検出されるまでの間、ＣＰＵ３７１は、例えば、図４に示すように、映像出力部３６ａの表示画面Ｇを字幕表示画面Ｇ１と映像表示画面Ｇ２とに分割して、字幕情報を字幕表示画面Ｇ１から出力させて、映像情報を映像表示画面Ｇ２から出力させる。
【００５１】
さらに、タイムシフトモードがＯＮの間、所定の条件が成立した場合に、ＣＰＵ３７１は、例えば、映像情報と音声情報の再生速度を低下させて、字幕情報に対して映像情報と音声情報の出力速度を遅くさせることによって、字幕情報に対して映像情報と音声情報を遅延させて出力させる。
【００５２】
具体的には、ＣＰＵ３７１は、例えば、タイムシフトモードがＯＮの間、所定の条件が成立した場合に、バッファ３５に記憶された字幕情報を“標準再生速度”で再生して映像出力部３６ａに出力させるとともに、バッファ３５に記憶された映像情報と音声情報を“標準再生速度”よりも遅い“遅延用再生速度”で再生して映像出力部３６ａと音声出力部３６ｂに出力させる。
ここで、所定の条件が成立した場合とは、例えば、一画面に表示される字幕情報に基づく文字の数が所定の閾値を超えた場合、或いは、一画面に表示される字幕情報に基づく文字のうちの最後の文字がセンテンスの終わりを示す所定の文字（例えば“。（句点）”や“」（鉤括弧の括弧閉じ）”など）以外の文字である場合である。
また、“遅延用再生速度”とは、例えば、“標準再生速度”よりも遅い速度であり、且つ、一画面に表示される字幕や字幕を構成するセンテンスが長い場合でも字幕情報に略適合した映像情報と音声情報が出力されるような好適な速度である。
【００５３】
また、ＣＰＵ３７１は、例えば、タイムシフトモードがＯＮの間に生じた映像情報と音声情報の遅延時間を算出し、所定のタイミングで、当該遅延時間分先の映像情報と音声情報を出力させる。
具体的には、ＣＰＵ３７１は、例えば、タイムシフトモードがＯＮの間に生じた映像情報と音声情報の遅延時間を算出して、所定のタイミングで、バッファ３５に記憶された映像情報と音声情報のうちの当該遅延時間分の映像情報と音声情報を消去して、当該遅延時間分先の映像情報と音声情報を再生して映像出力部３６ａと音声出力部３６ｂに出力させる。
すなわち、ＣＰＵ３７１は、所定のタイミングで、映像情報と音声情報（すなわち、放送局等からの放送）を略リアルタイムに出力させる。
ここで、所定のタイミングとは、例えば、字幕終了情報を検出した時点などである。
【００５４】
より具体的には、ＣＰＵ３７１は、例えば、図５に示すように、字幕開始情報と字幕終了情報を有する字幕情報「字幕Ａ」〜「字幕Ｄ」を“標準再生速度”で再生して、略リアルタイムに出力させる。
「字幕Ａ」〜「字幕Ｄ」は、それぞれ一画面に表示される字幕情報である。「字幕Ａ」〜「字幕Ｄ」の出力期間は、例えば、図５に示すように、それぞれ異なっており、例えば、一画面に表示される文字の数が多くなるにつれて長くなる。
ここで、例えば、「字幕Ａ」〜「字幕Ｄ」のうちの「字幕Ｃ」が、所定の条件が成立した場合（一画面に表示される字幕情報に基づく文字の数が所定の閾値を超えた場合、或いは、一画面に表示される字幕情報に基づく文字のうちの最後の文字がセンテンスの終わりを示す所定の文字以外の文字である場合）であるとする。
【００５５】
また、ＣＰＵ３７１は、例えば、図５に示すように、「字幕Ａ」〜「字幕Ｄ」のそれぞれに対応する「映像音声Ａ」〜「映像音声Ｄ」を出力させる。
ここで、仮に、リアルタイムの映像情報・音声情報「映像音声Ａ」〜「映像音声Ｄ」を遅延させずにそのままリアルタイムで出力させたとすると、その出力期間は、例えば、図５に示すように、互いに略同一となる。
「映像音声Ｃ」は、所定の条件が成立した場合（「字幕Ｃ」が出力される場合）に出力される映像情報・音声情報であるため、“遅延用再生速度”で再生されて出力される。したがって、「映像音声Ｃ」の出力期間は、例えば、図５に示すように、リアルタイムの映像情報・音声情報「映像音声Ｃ」が仮に出力された場合の出力期間よりも長くなる。
「映像音声Ｃ」以外のその他の映像情報・音声情報（「映像音声Ａ」、「映像音声Ｂ」及び「映像音声Ｄ」）は、“標準再生速度”で再生されて出力される。
【００５６】
さらに、ＣＰＵ３７１は、例えば、図５に示すように、「映像音声Ｄ」を出力させた後、「映像音声Ｅ」、「映像音声Ｆ」、…を出力させる。この際、ＣＰＵ３７１は、所定のタイミング（字幕終了情報を検出した時点）で、遅延時間分の映像情報と音声情報（具体的には、図５に示すリアルタイムの映像情報・音声情報の「映像音声Ｅ」のハッチングで示した部分）を消去して、遅延時間分先の映像情報と音声情報を“標準再生速度”で再生して、略リアルタイムに出力させる。
ＣＰＵ３７１は、かかる出力制御プログラム３７３ｂを実行することによって、出力制御手段として機能する。
【００５７】
（タイムシフトモードＯＮ時の処理）
次に、字幕放送表示システム１が備える放送受信装置３０によるタイムシフトモードＯＮ時の処理について、図６のフローチャートを参照して説明する。
【００５８】
まず、ＣＰＵ３７１は、検出プログラム３７３ａを実行して、チューナ３１により受信されたＴＶ放送信号の中から字幕開始情報を検出すると（ステップＳ１１）、タイムシフトモードをＯＮにして（ステップＳ１２）、出力制御プログラム３７３ｂを実行して、映像出力部３６ａの表示画面Ｇを字幕表示画面Ｇ１と映像表示画面Ｇ２とに分割して表示する分割表示を開始する。
【００５９】
次いで、ＣＰＵ３７１は、一画面に表示される字幕情報に基づく文字の数が所定の閾値を超えるか否かを判断する（ステップＳ１３）。
【００６０】
ステップＳ１３で、一画面に表示される字幕情報に基づく文字の数が所定の閾値を超えないと判断すると（ステップＳ１３：Ｎｏ）、ＣＰＵ３７１は、一画面に表示される字幕情報に基づく文字のうちの最後の文字がセンテンスの終わりを示す所定の文字であるか否かを判断する（ステップＳ１４）。
【００６１】
ステップＳ１４で、一画面に表示される字幕情報に基づく文字のうちの最後の文字がセンテンスの終わりを示す所定の文字であると判断すると（ステップＳ１４；Ｙｅｓ）、ＣＰＵ３７１は、バッファ３５に記憶された字幕情報と映像情報と音声情報を“標準再生速度”で再生して映像出力部３６ａと音声出力部３６ｂに出力させ（ステップＳ１５）、ステップＳ１７の処理に移行する。
【００６２】
一方、ステップＳ１３で、一画面に表示される字幕情報に基づく文字の数が所定の閾値を超えると判断すると（ステップＳ１３；Ｙｅｓ）、或いは、ステップＳ１４で、一画面に表示される字幕情報に基づく文字のうちの最後の文字がセンテンスの終わりを示す所定の文字以外の文字であると判断すると（ステップＳ１４；Ｎｏ）、ＣＰＵ３７１は、バッファ３５に記憶された字幕情報を“標準再生速度”で再生して映像出力部３６ａに出力させるとともに、バッファ３５に記憶された映像情報と音声情報を“遅延用再生速度”で再生して映像出力部３６ａと音声出力部３６ｂに出力させる（ステップＳ１６）。
【００６３】
次いで、ＣＰＵ３７１は、検出プログラム３７３ａを実行して、チューナ３１により受信されたＴＶ放送信号の中から字幕終了情報が検出されたか否かを判断する（ステップＳ１７）。
【００６４】
ステップＳ１７で、字幕終了情報が検出されていないと判断すると（ステップＳ１７；Ｎｏ）、ＣＰＵ３７１は、ステップＳ１３以降の処理を繰り返して行う。
【００６５】
一方、ステップＳ１７で、字幕終了情報が検出されたと判断すると（ステップＳ１７；Ｙｅｓ）、ＣＰＵ３７１は、タイムシフトモードをＯＦＦにして（ステップＳ１８）、映像出力部３６ａの表示画面Ｇを字幕表示画面Ｇ１と映像表示画面Ｇ２とに分割して表示する分割表示を終了する。
【００６６】
次いで、ＣＰＵ３７１は、ステップＳ１２でＯＮされてステップＳ１８でＯＦＦされたタイムシフトモードの間に生じた映像情報と音声情報の遅延時間を算出して、バッファ３５に記憶された映像情報と音声情報にうちの当該遅延時間分の映像情報と音声情報を消去して、当該遅延時間分先の映像情報と音声情報を再生して映像出力部３６ａと音声出力部３６ｂに出力させ（ステップＳ３３）本処理を終了する。
【００６７】
以上説明した本発明の字幕放送表示システム１及び放送受信装置３０によれば、字幕放送表示システム１は、ＴＶ放送信号を送信する放送送信装置１０と、放送送信装置１０により送信されたＴＶ放送信号を受信する放送受信装置３０と、を備え、放送受信装置３０は、放送送信装置１０の送信部１２により送信された字幕の開始を示す字幕開始情報及び字幕の終了を示す字幕終了情報を有する字幕情報と、映像情報と、音声情報と、を含むＴＶ放送信号を受信するチューナ３１と、チューナ３１により受信されたＴＶ放送信号に含まれる字幕情報の中から、字幕開始情報と、字幕終了情報と、を検出する検出プログラム３７３ａを実行したＣＰＵ３７１と、チューナ３１により受信されたＴＶ放送信号に含まれる字幕情報と映像情報を映像出力部３６ａに出力させるとともに、当該ＴＶ放送信号に含まれる音声情報を音声出力部３６ｂに出力させる出力制御プログラム３７３ｂを実行したＣＰＵ３７１と、を備えている。
そして、出力制御プログラム３７３ｂを実行したＣＰＵ３７１は、検出プログラム３７３ａを実行したＣＰＵ３７１により字幕開始情報が検出されてから字幕終了情報が検出されるまでの間、一画面に表示される字幕情報に基づく文字の数が所定の閾値を超えた場合に、すなわち一画面に表示される字幕が長い場合に、或いは、一画面に表示される字幕情報に基づく文字のうちの最後の文字がセンテンスの終わりを示す所定の文字以外の文字である場合に、すなわ、字幕を構成するセンテンスのうちの一又は複数のセンテンスが長い場合に、映像情報と音声情報を字幕情報に対して遅延させて出力させることができる。
したがって、字幕と映像や音声とのズレを容易に修正できる。
【００６８】
また、出力制御プログラム３７３ｂを実行したＣＰＵ３７１は、検出プログラム３７３ａを実行したＣＰＵ３７１により字幕開始情報が検出されてから字幕終了情報が検出されるまでの間、映像出力部３６ａの表示画面Ｇを字幕表示画面Ｇ１と映像表示画面Ｇ２とに分割して、字幕情報を字幕表示画面Ｇ１から出力させて、映像情報を映像表示画面Ｇ２から出力させることができる。
したがって、字幕情報を映像情報に合成や重畳してから出力させる等の煩わしい処理を行うことなく、簡易に字幕情報を表示させることができる。
【００６９】
また、出力制御プログラム３７３ｂを実行したＣＰＵ３７１は、検出プログラム３７３ａを実行したＣＰＵ３７１により字幕開始情報が検出されてから字幕終了情報が検出されるまでの間に生じた映像情報と音声情報の遅延時間を算出し、所定のタイミングで、当該遅延時間分先の映像情報と音声情報を出力させることができる。
したがって、所定のタイミングで略リアルタイムの映像情報や音声情報を出力させることによって、字幕開始情報が検出されてから字幕終了情報が検出されるまでの間に生じた映像情報や音声情報の遅延を解消することができるため、使い勝手がよい。
【００７０】
なお、本発明は、上記した実施の形態のものに限るものではなく、その要旨を逸脱しない範囲で適宜変更可能である。
【００７１】
ＣＰＵ３７１は、出力制御プログラム３７３ｂを実行して、例えば、字幕開始情報を検出した時点で、字幕情報に適合した映像情報と音声情報が出力されるように、字幕情報に対して映像情報と音声情報の出力タイミングを遅らせるようにしてもよい。
この場合、字幕と映像や音声とのズレをより一層確実に修正できる。
【００７２】
また、タイムシフトモードがＯＮの間、ＣＰＵ３７１は、映像出力部３６ａの表示画面Ｇを字幕表示画面Ｇ１と映像表示画面Ｇ２とに分割するようにしたが、表示画面Ｇを必ずしも分割する必要はない。この場合、字幕情報を映像情報に合成や重畳して表示画面Ｇに表示させる必要がある。
【００７３】
また、所定の条件が成立した場合は、一画面に表示される字幕情報に基づく文字の数が所定の閾値を超えた場合や、一画面に表示される字幕情報に基づく文字のうちの最後の文字がセンテンスの終わりを示す所定の文字以外の文字である場合の限りではなく、字幕情報に略適合した映像情報と音声情報を出力させるために、映像情報と音声情報を“遅延用再生速度”で再生して出力させる必要がある場合であれば任意である。
【００７４】
また、所定のタイミングは、字幕終了情報を検出した時点の限りではなく、例えば、本編放送からコマーシャル放送に切り替わった時点や、一の番組から他の番組に切り替わった時点などでもよい。
【図面の簡単な説明】
【００７５】
【図１】字幕放送表示システムの機能的構成を示すブロック図である。
【図２】図１の放送送信装置の機能的構成を示すブロック図である。
【図３】図１の放送受信装置の機能的構成を示すブロック図である。
【図４】字幕表示画面と映像表示画面とに分割された映像出力部の表示画面を説明するための図である。
【図５】字幕情報と映像情報・音声情報との出力方法を説明するための図である。
【図６】字幕放送表示システムが備える放送受信装置によるタイムシフトモードＯＮ時の処理を説明するためのフローチャートである。
【符号の説明】
【００７６】
１  字幕放送表示システム
１０  放送送信装置
１２  送信部（送信手段）
３０  放送受信装置
３１  チューナ（受信手段）
３６ａ  映像出力部（映像出力手段）
３７１  ＣＰＵ（検出手段、出力制御手段）
３７３ａ  検出プログラム（検出手段）
３７３ｂ  出力制御プログラム（出力制御手段）
Ｇ  表示画面
Ｇ１  字幕表示画面
Ｇ２  映像表示画面
【図１】
2008199444.tif 000003
【図２】
2008199444.tif 000004
【図３】
2008199444.tif 000005
【図４】
2008199444.tif 000006
【図５】
2008199444.tif 000007
【図６】
2008199444.tif 000008